(57)【特許請求の範囲】
【請求項１】
木材保存剤としての３−ヨード−プロペニルブチルカーバメート及び脂肪族炭化水素溶剤を含有する木材保存剤組成物において、溶解補助剤として、（Ａ）ジエチレングリコールモノブチルエーテルと、（Ｂ）ジエチレングリコールモノブチルエーテル以外のグリコールエーテル類及びフタル酸エステル類から選ばれた少なくとも１種を組み合わせて含有し、かつ、組成物全量に対し、前記（Ａ）成分を１〜２０重量％、前記（Ｂ）成分を５〜３０重量％含有することを特徴とする木材保存剤組成物。
【請求項２】
木材保存剤としての３−ヨード−プロペニルブチルカーバメート、防蟻剤及び脂肪族炭化水素溶剤を含有する木材防蟻・防腐組成物において、溶解補助剤として、（Ａ）ジエチレングリコールモノブチルエーテルと、（Ｂ）ジエチレングリコールモノブチルエーテル以外のグリコールエーテル類及びフタル酸エステル類から選ばれた少なくとも１種を組み合わせて含有し、かつ、組成物全量に対し、前記（Ａ）成分を１〜２０重量％、前記（Ｂ）成分を５〜３０重量％含有することを特徴とする木材防蟻・防腐組成物。
【発明の詳細な説明】
【０００１】
【発明の属する技術分野】
本発明は、低臭性の木材保存剤組成物及びシロアリ予防・駆除剤として有用な木材防蟻・防腐組成物に関する。
【０００２】
【従来の技術と発明が解決しようとする課題】
３−ヨード−プロペニルブチルカーバメート（慣用名：３−ヨード−イソプロピルブチルカーバメート、略称：ＩＰＢＣ）は、木材防腐・防黴効果に優れた薬剤であるが、この化合物は芳香族系の炭化水素には高溶解性を示すものの、脂肪族系の炭化水素には低溶解性であり、０．１〜０．５％程度の溶解性しか示さない。
ＩＰＢＣを１％以上含む油剤（石油溶液）を作ろうとする場合、ジエチレングリコールモノメチルエーテル（略称ＭＤＧ）を補助溶剤として２〜１０％使用し、さらには芳香族系溶剤に溶解させるのが一般的であった。ところが、芳香族系溶剤には一般に特有な臭気を有するものが多く、木材に対する施工中、施工後の残留臭が問題となる。低臭性にする目的のために脂肪族系溶剤を用い、大量に補助溶剤を加えて溶解させても、冷却すると簡単にＩＰＢＣの結晶析出や液分離を起こしてしまい、臭いの少ない木材保存剤を調製することが困難であった。
【０００３】
また、ＩＰＢＣは低毒性で、防腐効力が高く、低臭性の木材用防腐・防黴剤として、シロアリ駆除用殺虫剤と併せ製剤化されることによって、シロアリ予防・駆除剤として広く使用されている。
しかしながら、ＩＰＢＣは常温で淡黄白色の固体であり、前記したように芳香族炭化水素にはある程度溶解性があるものの、脂肪族炭化水素にはほとんど溶解しない。従って製剤化する場合、補助溶剤として、例えばＭＤＧ（ジエチレングリコールモノメチルエーテル）等を用い、芳香族系溶剤、例えばソルベッソ１５０等に溶解させて製剤化するのが一般的である。
ところが、芳香族系炭化水素を溶剤として製剤化した場合、芳香族炭化水素溶剤特有の臭気が強く、シロアリ予防・駆除処理時の作業環境が悪く、作業が捗らないなどの問題があった。
【０００４】
従って、本発明の目的は、有効成分としてＩＰＢＣを充分な量で含有できると共に、冬場など比較的低温で保存してもＩＰＢＣの結晶析出や液分離を生ずることがなく、安定性に優れ、しかも低臭性であり、木材防腐・防黴効果に優れた木材保存剤組成物を提供することにある。
本発明の他の目的は、有効成分としてＩＰＢＣ及び防蟻剤を充分な量で含有できると共に、冬場など比較的低温で保存してもＩＰＢＣの結晶析出や液分離を生ずることがなく、安定性に優れ、しかも低臭性であり、木材防腐・防黴効果及びシロアリ予防・駆除効果に優れた木材防蟻・防腐組成物を提供することにある。
【０００５】
【課題を解決するための手段】
前記目的を達成するために、本発明によれば、木材保存剤としての３−ヨード−プロペニルブチルカーバメート及び脂肪族炭化水素溶剤を含有する木材保存剤組成物において、溶解補助剤として、（Ａ）ジエチレングリコールモノブチルエーテルと、（Ｂ）ジエチレングリコールモノブチルエーテル以外のグリコールエーテル類及びフタル酸エステル類から選ばれた少なくとも１種を組み合わせて含有し、かつ、組成物全量に対し、前記（Ａ）成分を１〜２０重量％、前記（Ｂ）成分を５〜３０重量％含有することを特徴とする木材保存剤組成物が提供される。
さらに本発明によれば、木材保存剤としての３−ヨード−プロペニルブチルカーバメート、防蟻剤及び脂肪族炭化水素溶剤を含有する木材防蟻・防腐組成物において、溶解補助剤として、（Ａ）ジエチレングリコールモノブチルエーテルと、（Ｂ）ジエチレングリコールモノブチルエーテル以外のグリコールエーテル類及びフタル酸エステル類から選ばれた少なくとも１種を組み合わせて含有し、かつ、組成物全量に対し、前記（Ａ）成分を１〜２０重量％、前記（Ｂ）成分を５〜３０重量％含有することを特徴とする木材防蟻・防腐組成物が提供される。
【０００６】
【発明の実施の形態】
本発明者らは、ＩＰＢＣを脂肪族系炭化水素に溶解させ、しかも低温においてもＩＰＢＣの結晶析出や液分離を生じない組成物を得るべく鋭意研究した結果、ジエチレングリコールモノブチルエーテル（慣用名：ブチルジグリコール、略称：ＢＤＧ）と、他のグリコールエーテル類又はフタル酸エステル類とを溶解補助剤として組み合わせ、併用することによって、低温においてもＩＰＢＣの結晶析出や液分離を生じない安定なＩＰＢＣの脂肪族炭化水素溶液が得られることを見い出し、本発明を完成するに至ったものである。
すなわち、本発明に係るＩＰＢＣ及び脂肪族炭化水素溶剤を含有する木材保存剤組成物、及びこれにさらに防蟻剤を含有する木材防蟻・防腐組成物においては、（Ａ）ＢＤＧと、（Ｂ）ＢＤＧ以外の他のグリコールエーテル類及びフタル酸エステル類から選ばれた少なくとも１種を組み合わせて含有せしめることにより、ＩＰＢＣの充分な溶解性を確保すると共に、組成物の安定性と低臭化を改善したことを特徴としている。
【０００７】
本発明者らの研究によれば、ＩＰＢＣを脂肪族系炭化水素に溶解させるときに、ＢＤＧと、ＢＤＧ以外のグリコールエーテル類又はフタル酸エステル類を溶解補助剤として併用すると、−１０℃まで冷却してもＩＰＢＣの結晶析出や液分離が起こらない組成物が得られる。
しかしながら、本発明に係る溶解補助剤、即ち、ＢＤＧを含むグリコールエーテル類やフタル酸エステル類のうち１種類だけで本発明の目的を達成させることは困難である。例えば、ＢＤＧを単独で溶解補助剤として用いた場合、その７％程度の使用量で常温ではＩＰＢＣを１％まで脂肪族系炭化水素に溶解させることはできるが、冷却（−１０℃）すると液分離を起こしてしまう。元来、ＢＤＧと脂肪族系炭化水素は任意に溶解し、ＩＰＢＣを含まない場合には液分離は起こらない。従って、上記の液分離はＩＰＢＣに起因する液分離である。
【０００８】
また、フタル酸エステル類のうち、例えばジオクチルフタレートを使用しての溶解試験では、ジオクチルフタレートを４０％程度溶解補助剤として使用しないと、脂肪族系炭化水素にＩＰＢＣを溶解させることは困難であった。
さらに、グリコールエーテルのうちブチルプロピレンジグリコール（略称：ＢＰＤＧ）を使用した溶解試験では、溶解補助剤としての１０％以下の使用量で常温ではＩＰＢＣの結晶が析出した。
以上のように、本発明で用いる溶解補助剤でも単独で使用した場合、安定なＩＰＢＣの脂肪族炭化水素溶液を得ることが困難であったり、また大量に使用しないと溶解できない。
これに対して、例えば、ＢＤＧ３％とＢＰＤＧ７％を使用すれば、冷却（−１０℃）してもＩＰＢＣの結晶析出や液分離を起こさないＩＰＢＣの脂肪族炭化水素溶液を得ることができる。
ＢＤＧ単独では７％の使用量でも得られる組成物は冷却試験（−１０℃）で液分離を起こし、ＢＰＤＧ単独では１０％でも冷却試験でＩＰＢＣの結晶析出を起こすが、この両方を併用することによって前述のように−１０℃まで冷却しても液分離やＩＰＢＣの結晶析出の起こらない組成物が得られる。
【０００９】
本発明の組成物において木材保存剤として配合されるＩＰＢＣは、化学名が３−ヨード−プロペニルブチルカーバメート（化学式：Ｃ8 Ｈ12ＩＮＯ2 ）の常温で白色の固体であり、木材や塗料の防腐剤として利用されている殺菌・防腐剤である。
このＩＰＢＣは木材の防腐・防黴効果に優れており、本発明の木材保存剤組成物及び木材防蟻・防腐組成物においては、一般に組成物全量の０．０１〜１０重量％、好ましくは３重量％以下の配合割合で用いられるが、通常は１重量％程度の配合量で充分な防腐・防黴効果を発揮する。
【００１０】
本発明の木材防蟻・防腐組成物に配合される防蟻剤も、その種類によって好適な配合量は異なるが、一般に組成物全量の０．０１〜１０重量％、好ましくは３重量％以下の配合割合で用いられ、通常は０．１〜１重量％程度の配合量で充分なシロアリ予防・駆除効果を発揮する。
防蟻剤としては、従来公知の各種防蟻剤を使用できるが、Ｏ，Ｏ−ジエチル−Ｏ−（３，５，６−トリクロロ−２−ピリジル）ホスホロチオエート（一般名：クロルピリホス）、Ｏ，Ｏ−ジエチル−Ｏ−（α−シアノベンジリデンアミノ）チオホスフェート（一般名：ホキシム）、Ｏ，Ｏ−ジエチル−Ｏ−（３−オキソ−２−フェニル−２Ｈ−ピリダジン−６−イル）ホスホロチオエート（一般名：ピリダフェンチオン）、Ｏ−［（Ｅ）−２−イソプロポキシカルボニル−１−メチルビニル］−Ｏ−メチルエチルホスホラミドチオエート（一般名：プロペタンフォス）等の有機リン系殺虫剤；３−フェノキシベンジル（±）シス／トランス−３−（２，２−ジクロロビニル）−２，２−ジメチルシクロプロパンカルボキシラート（一般名：ペルメトリン）、α−シアノ−３−フェノキシベンジル−２，２−ジメチル−３−（１，２，２，２−テトラブロモエチル）シクロプロパンカルボキシラート（一般名：トラロメトリン）、２−メチルビフェニル−３−イルメチル−シス−３−（２−クロロ−３，３，３−トリフルオロプロペ−１−エニル）−２，２−ジメチルシクロプロパンカルボキシラート（一般名：ビフェントリン）等のピレスロイド系殺虫剤；２−（４−エトキシフェニル）−２−メチルプロピル＝３−フェノキシベンジル＝エーテル（一般名：エトフェンプロックス）等のピレスロイド様殺虫剤；（４−エトキシフェニル）−［３−（４−フルオロ−３−フェノキシフェニル）プロピル］−（ジメチル）シラン（一般名：シラフルオフェン）等のケイ素含有シロアリ駆除剤などを好適に用いることができる。また、必要に応じて、Ｎ−（２−エチルヘキシル）−ビシクロ−［２．２．１］−ヘプタ−５−エン−２，３−ジカルボキシイミド（略称：ＭＧＫ−２６４又はサイネピリン２２２）、オクタクロロジプロピルエーテル（略称：Ｓ−４２１）等の効力増強剤を併用することもできる。
【００１１】
前記した木材保存剤や防蟻剤の溶媒として用いられる脂肪族炭化水素溶剤としては、灯油のうち９５％留出温度が３００℃以下のＪＩＳ１号灯油、ＪＩＳ２号灯油に該当するものが好ましく、望ましくは芳香族成分が２０％以下で、灯油臭の少ないものが適当である。
【００１２】
本発明の木材保存剤組成物及び木材防蟻・防腐組成物においては、前記したように、脂肪族炭化水素溶剤の他に、溶解補助剤として、（Ａ）ジエチレングリコールモノブチルエーテルと、（Ｂ）ジエチレングリコールモノブチルエーテル以外のグリコールエーテル類及びフタル酸エステル類から選ばれた少なくとも１種が組み合わせて含有される。
上記（Ａ）成分のジエチレングリコールモノブチルエーテル（略称：ＢＤＧ、化学式：Ｃ8 Ｈ18Ｏ3 ）は、常温で透明な液体であり、組成物全量の１〜２０重量％の割合で使用することが好ましい。（Ａ）成分の配合割合が多過ぎたり、あるいは少な過ぎた場合、組成物のＩＰＢＣ溶解性、液安定性が悪くなるので好ましくない。
【００１３】
上記（Ｂ）成分のうちのグリコールエーテル類は、例えば、Ｒ１−（Ｏ−ＣＨ２−ＣＨ（Ｒ２））ｎ−ＯＲ３の化学式で表わされるエチレングリコール、ジエチレングリコール、トリエチレングリコール（ｎ＝１〜３）のモノ又はジエーテル誘導体である。上記化学式中、Ｒ１はメチル，エチル，プロピル，イソプロピル，ブチル，イソブチル，エチルヘキシル，ドデシル等の炭素数１〜１２、好ましくは炭素数１〜１０のアルキル基、又はフェニル、ベンジル等のフェニル基もしくはアリールアルキル基を示し、Ｒ２は水素又はメチル基を示し、Ｒ３は水素、又はメチル，エチル，プロピル，イソプロピル，ブチル，イソブチル等の炭素数１〜１２、好ましくは１〜１０のアルキル基又はアセチル基を示す。グリコールエーテル類の中でも、ジエチレングリコール（略称：ＤＥＤＧ）、ブチルプロピレンジグリコール（略称：ＢＰＤＧ）などが好ましい。
フタル酸エステル類としては、Ｃ６Ｈ４（ＣＯＯＲ）２−ＯＲ３（ここで、Ｒは炭素数１〜１２、好ましくは１〜１０のアルキル基を示し、Ｒ３は上記定義と同じである）の化学式で表わされるフタル酸のジエステル誘導体、例えばジオクチルフタレート（略称：ＤＯＰ）などが好適に用いられる。
上記（Ｂ）成分の配合割合は組成物全量の５〜３０重量％が好ましい。（Ｂ）成分の配合割合が多過ぎたり、あるいは少な過ぎた場合、組成物のＩＰＢＣ溶解性、液安定性が悪くなるので好ましくない。
【００１４】
本発明の木材保存剤組成物及び木材防蟻・防腐組成物は、処理対象の木材又は木造建築物に塗布、吹付け、浸漬、注入等任意の方法により直接処理することができる。
また、シロアリ予防・駆除は大きく分けて木部処理、土壌処理、被覆処理に分類されるが、本発明の木材防蟻・防腐組成物は木部処理だけでなく、土壌処理等にも用いることができる。
【００１５】
【実施例】
以下、実施例を示して本発明について具体的に説明するが、本発明が下記実施例に限定されるものでないことはもとよりである。なお、以下の実施例において「％」とあるのは、特にことわりがない限り重量％を意味する。
【００１６】
0003825868.tif 000002
上記の配合処方で、まず、ＢＤＧ、ＤＥＤＧの混合物にＩＰＢＣを加温溶解させ、さらにペルメトリン、ＭＧＫ２６４、脂肪族炭化水素溶剤を順次加え、溶解させてシロアリ予防・駆除剤の澄明溶液を得た。この澄明溶液は、−１０℃に冷却しても分離物を生じることはなかった。
【００１７】
0003825868.tif 000003
上記の配合処方で、前記実施例１と同様にしてシロアリ予防・駆除剤を調製した。澄明溶液を得ることはできたが、−１０℃に冷却するとＩＰＢＣの分離を生じた。すなわち、ＢＤＧだけを溶解補助剤として使用しても、冷却後にも分離を生じない安定な溶液は得られなかった。
【００１８】
0003825868.tif 000004
上記の配合処方で、前記実施例１と同様にしてシロアリ予防・駆除剤を調製した。澄明溶液を得ることはできたが、−１０℃に冷却するとＩＰＢＣの分離を生じた。すなわち、ＤＥＤＧだけを溶解補助剤として使用しても、冷却後にも分離を生じない安定な溶液は得られなかった。
前記実施例１と比較例１及び２から明らかなように、本発明の組成物はＢＤＧ及びＤＥＤＧをそれぞれ単独に溶解補助剤として使用したのでは安定な溶液を作ることができないのに（比較例１，２）、両方の溶解補助剤を使用すると（実施例１）、その全使用量が単独に使用するときと同じであるにも拘らず、安定な溶液を調製することができた。
【００１９】
0003825868.tif 000005
上記の配合処方で、まず、ＢＤＧ、ＤＯＰの混合物にＩＰＢＣを加温溶解させ、さらにペルメトリン、ＭＧＫ２６４、脂肪族炭化水素溶剤を順次加え、溶解させてシロアリ予防・駆除剤の澄明溶液を得た。この澄明溶液は−１０℃に冷却しても分離物を生じることはなかった。
参考比較例として溶解補助剤をＤＯＰだけにした場合、ＤＯＰの量を３０％まで増量させても分離物を生じない安定な溶液は得られなかった。ＢＤＧ単独では分離物を生じ、安定な溶液を得ることが困難なことは比較例１に示した通りであり、この２種類の溶解補助剤を併用することによって安定な溶液を調製することができる。
【００２０】
0003825868.tif 000006
上記の配合処方で、まず、ＢＤＧ、ＢＰＤＧの混合物にＩＰＢＣを加温溶解させ、さらにペルメトリン、ＭＧＫ２６４、脂肪族炭化水素溶剤を順次加え、溶解させてシロアリ予防・駆除剤の澄明溶液を得た。この澄明溶液は−１０℃に冷却しても分離物を生じることはなかった。
参考比較例として溶解補助剤をＢＰＤＧだけにした場合、ＢＰＤＧの量を１０％にしてもＩＰＢＣの結晶が分離し、安定な溶液は得られなかった。また、ＢＤＧ単独では分離物を生じ、安定な溶液を得ることが困難なことは比較例１に示した通りであり、この２種類の溶解補助剤を併用することによって安定な溶液を調製することができる。
【００２１】
【発明の効果】
以上のように、本発明の木材保存剤としての３−ヨード−プロペニルブチルカーバメート及び脂肪族炭化水素溶剤を含有する木材保存剤組成物、及びこれにさらに防蟻剤を含有する木材防蟻・防腐組成物においては、さらに溶解補助剤として、（Ａ）ジエチレングリコールモノブチルエーテルと、（Ｂ）ジエチレングリコールモノブチルエーテル以外のグリコール類及びフタル酸エステル類から選ばれた少なくとも１種を組み合わせて含有するものであるため、ＩＰＢＣを充分な量で含有できると共に、冬場など比較的低温で保存してもＩＰＢＣの結晶析出や液分離を生ずることがなく、安定性に優れている。しかも低臭性であるため、木材保存処理やシロアリ予防・駆除処理を作業性よく行うことができ、また施工後にも残留臭はほとんど残らない。